(57)【要約】【課題】再生中継器は、適用設定を誤ると、適用した波長の光パスの信号だけではなく、他波長の光パスの信号に誤りを発生させる恐れがある。既に開通している他波長の光パスの信号に誤りが生じた場合、大きな事故に繋がる。【解決手段】ユーザによるネットワーク内の光パスの開通設定時に、監視制御装置によって、自身の保有するトポロジ情報、パス情報、光増幅器の性能情報、およびＯＡＤＭノードと通信することで取得する装置情報を用いて、新規開通する光パスの伝送可否判定、および新規開通する光パスと経路が重なっている全ての他波長の光パスについて行う新規開通パスへの影響判定を行なう。また、以上の判定結果をユーザに通知し、信号に誤りを発生させる可能性がある場合、パス開通処理を実施しない。【選択図】図１８
2010062647.tif 000002
【特許請求の範囲】
【請求項１】
複数の光分岐挿入多重装置と接続され、前記複数の光分岐挿入多重装置のトポロジに基づいて光パスの設定を制御する監視制御装置において、
前記光分岐挿入装置に設けられた光増幅器の種別情報と、この光増幅器の性能情報と、前記トポロジと、再生中継器の位置情報とから、開通させる光パスに障害が発生する第１の予想情報と、前記開通させる光パスの開通による既開通パスでの障害が発生する第２の予想とを生成する伝送可否判定部を備えることを特徴とする監視制御装置。
【請求項２】
請求項１に記載の監視制御装置であって、
さらに、前記既開通の光パスの影響により、前記開通させる光パスに障害が発生する第３の予想情報を生成する既開通パス影響判定部を備えることを特徴とする監視制御装置。
【請求項３】
請求項１または請求項２に記載の監視制御装置であって、
前記伝送可否判定部および既開通パス影響判定部は、前記既開通の光パスと区間の重なる前記開通させる光パスとについて、当該光パス全体の光信号対雑音比を演算して、判定することを特徴とする監視制御装置。
【請求項４】
複数の光分岐挿入多重装置と接続されたコンピュータを
前記複数の光分岐挿入多重装置のトポロジに基づいて光パスの設定を制御する光パス設定制御部、
前記光分岐挿入装置に設けられた光増幅器の種別情報と、この光増幅器の性能情報と、前記トポロジと、再生中継器の位置情報とから、開通させる光パスに障害が発生する第１の予想情報と、前記開通させる光パスの開通による既開通パスでの障害が発生する第２の予想とを生成する伝送可否判定部として機能させるプログラム。
【請求項５】
請求項４に記載のプログラムであって、
前記コンピュータを
さらに、前記既開通の光パスの影響により、前記開通させる光パスに障害が発生する第３の予想情報を生成する既開通パス影響判定部として機能させるプログラム。
【発明の詳細な説明】
【技術分野】
【０００１】
本発明は、監視制御装置およびプログラムに係り、特に波長多重ＯＡＤＭ（Optical Add Drop Multiplexer）に接続された監視制御装置およびそのプログラムに関する。
【背景技術】
【０００２】
昨今のブロードバンドの急激な普及に伴い、大容量・長距離の光通信装置が必要とされている。大容量化の実現手段として、１本の光ファイバに波長の異なる複数の光信号を多重化して通信する光波長多重（ＷＤＭ：Wavelength Division Multiplexing）方式が発展している。また、長距離を実現するために、通信ネットワークは、ＯＡＤＭ、光増幅器（１Ｒ）、再生中継器（３Ｒ）等を用いて構成される。
【０００３】
従来の光伝送ネットワークでは、再生中継器を適用した光パスの到達可能性を判別することで、ネットワークの設計を行う手法がある。これには、ネットワーク設計装置により事前に、再生中継器を用いない場合のネットワークモデルの雑音量を元に必要となる再生中継器の数を算出し、再生中継器の適用台数に基づいて再生中継器適用箇所を決定する手法（特許文献１）、再生中継器を配置したネットワークモデルにたいして、想定されるパスの伝送可否判定を行う手法（特許文献２）が該当する。
【０００４】
しかし従来技術では、ネットワーク設計によって決定した光パスを開通する際に、設定を誤ってしまった場合の光パスへの影響を検討していない。このため、ネットワークにおける、より安全な再生中継器の適用手法が必要となっている。
【０００５】
【特許文献１】特開２００４−０４８４７７号公報
【特許文献２】特開２００６−０４２２７９号公報
【発明の開示】
【発明が解決しようとする課題】
【０００６】
再生中継器を適用することにより、伝送距離・伝送帯域の制限を回避できる。しかし、再生中継器は、光増幅器に比べ高価である。さらに、光増幅器は、１台で全波長分の光信号を一括増幅するが、再生中継器は、１台につき１波長分の光信号にしか適用できない。再生中継器を全波長分用意して適用するか否かの設定をするという方法を用いるのは、非常にコストがかかり、現実的ではない。また、再生中継器を適用するか否かの設定は、各波長の光パス毎に行うため、設定誤りを起こしやすい。
【０００７】
光伝送設計において、光信号対雑音比ＯＳＮＲ（Optical Signal−to−Noise Ratio）は、十分に大きな値となるように設計する。再生中継器を適用しないと伝送できないほど長い伝送距離の光パスについて、再生中継器を適用しなかった場合に起きる課題について、図１を用いて説明する。ここで、図１は再生中継器の設定誤りを説明する図である。特に、図１（ａ）は波長λｎに前段で再生中継器が適用された状態、図１（ｂ）は設定誤りにより波長λｎに前段で再生中継器が適用されない状態を示す。
【０００８】
図１において、縦軸は光レベル、横軸は波長である。光信号４００＃１は、光分岐挿入部においてフィルタ５００＃１により、中心波長λｎ−１の光が切り出される。同様に光信号４００＃２は、光分岐挿入部においてフィルタ５００＃２により、中心波長λｎの光が切り出される。
【０００９】
前段のＯＡＤＭノードで、再生中継器を適用すべき光パス（λｎ）に対して再生中継器を適用しなかった場合、波長λｎのＯＳＮＲが想定より小さな値になる。各フィルタ５００には重なる箇所（Ａ部）が存在する。このため、ＯＳＮＲが非常に小さな値である光信号４００＃２は、光分岐挿入部においてフィルタ５００＃２により、中心波長λｎの光を切り出そうとする際に、雑音に埋もれてしまう。
【００１０】
さらに、中心波長λｎ−１の光信号４００＃１を切り出す際に使用するフィルタ５００＃１でＡ部の雑音を除去をできず、雑音がλｎ−１の光信号４００＃１に混入してしまう。混入した雑音量が大きければ、設定誤り波長以外の波長の光パスの光信号まで誤ってしまう。
【００１１】
図２、図３を用いて、再生中継器の設定を誤った際の影響について説明する。ここで、図２および図３は光ネットワークの構成と各ノードでのＯＳＮＲ変化を説明する図である。図２（ａ）および図３（ａ）は光ネットワークの構成を説明するブロック図である。光ネットワークは、ＯＡＤＭノード１００＃４〜１００＃８によるリニアネットワークを構成している。この光ネットワークにおいて、ＯＡＤＭノード１００＃４からＯＡＤＭノード１００＃８に抜けている光パス２００＃λ２と、ＯＡＤＭノード１００＃５でアッドされＯＡＤＭノード１００＃８でドロップされている光パス２００＃λ１に注目する。図２（ａ）において、光パス２００＃λ２は、ＯＡＤＭノード１００＃６にて再生中継されている。一方、図３（ａ）において、光パス２００＃λ２は、ＯＡＤＭノード１００＃６にて再生中継を適用されていない。なお、図２（ａ）において、ＯＡＤＭノード１００＃６が２重丸で表現しているのは、再生中継が可能なノードであることを意味している。これは、他の図面でも共通である。
【００１２】
図２（ｂ）および図２（ｃ）ならびに図３（ｂ）および図３（ｃ）は、縦軸にＯＳＮＲ、横軸にＯＡＤＭノードをとったグラフである。図２（ｂ）および図３（ｂ）は、波長λ１についてのグラフ、図２（ｃ）および図３（ｃ）は、波長λ２についてのグラフである。図中、自波長の信号を誤らせる可能性があるかのＯＳＮＲ閾値をＸとし、他波長の信号をも誤らせる可能性があるかのＯＳＮＲ閾値をＹとする。閾値Ｘ、Ｙの値は、ＯｐＳが保有する固定値である。
【００１３】
上述したネットワークで、波長λ１の光パス２００＃λ１が開通済みの状態で、波長λ２の光パス２００＃λ２を新規開通する状況を考える。図２において、光パス２００＃λ２を開通時に、ＯＡＤＭノード１００＃６に波長λ２の識別再生を行う再生中継器を適用する。再生中継器を適用することで、図２（ｃ）に示すように、ＯＡＤＭノード１００＃６で光パス２００＃λ２のＯＳＮＲが回復している。この結果、光信号のＯＳＮＲは、共にＸ以上の値を保ち、正常な光信号を送ることに成功している。
【００１４】
図３を参照して、再生中継器を適用せずに光パス２００＃λ２を新規開通する状況を説明する。図３（ｃ）において、光パス２００＃λ２のＯＳＮＲは劣化を続け、ＯＡＤＭノード１００＃６を超えた時点でＯＳＮＲがＸを下回り、光信号に誤りが生じてしまう。さらにＯＡＤＭノード１００＃７を超えた時点で、光パス２００＃λ２のＯＳＮＲは閾値Ｙを下回り、波長λ２の光信号の雑音が波長λ１の光信号にまで混入してしまう。この雑音により、光パス２００＃λ１のＯＳＮＲは閾値Ｘを下回り、光信号に誤りが生じてしまう。
【００１５】
このように再生中継器の適用設定を誤ってしまうと、自身の信号だけではなく、他波長の信号に誤らせる可能性がある。特に、既に開通している他波長の光パスの信号に誤りが生じた場合、新規開通する光パスが届かない場合よりも大きな事故に繋がってしまう。さらに近年、波長分割多重の高密度化により波長間の間隔が狭くなり、他の波長に影響を与える可能性が高くなってきている。
【００１６】
本発明は、監視制御装置による光パスの開通設定時に、新規開通する光パスの信号に誤りが発生する可能性および他波長の光パスの信号に誤りを発生させる可能性の判定を行なう。これによって、設定誤りのリスクを減らす監視制御装置およびプログラムを提供する。
【課題を解決するための手段】
【００１７】
上述した課題は、複数の光分岐挿入多重装置と接続され、複数の光分岐挿入多重装置のトポロジに基づいて光パスの設定を制御し、光分岐挿入装置に設けられた光増幅器の種別情報と、この光増幅器の性能情報と、トポロジと、再生中継器の位置情報とから、開通させる光パスに障害が発生する第１の予想情報と、開通させる光パスの開通による既開通パスでの障害が発生する第２の予想とを生成する伝送可否判定部を備える監視制御装置により、達成できる。
【００１８】
また、複数の光分岐挿入多重装置と接続されたコンピュータを、複数の光分岐挿入多重装置のトポロジに基づいて光パスの設定を制御する光パス設定制御部、光分岐挿入装置に設けられた光増幅器の種別情報と、この光増幅器の性能情報と、トポロジと、再生中継器の位置情報とから、開通させる光パスに障害が発生する第１の予想情報と、開通させる光パスの開通による既開通パスでの障害が発生する第２の予想とを生成する伝送可否判定部として機能させるプログラムにより、達成できる。
【発明の効果】
【００１９】
設定誤りのリスクを減らす監視制御装置およびプログラムを提供することができる。
【発明を実施するための最良の形態】
【００２０】
以下、本発明の実施の形態について、実施例を用い図面を参照しながら説明する。なお、実質同一部位には同じ参照番号を振り、説明は繰り返さない。
光パス２００＃１に関する装置除法テーブルである。
【００２１】
図４を参照して、光ネットワークの構成を説明する。ここで、図４は光ネットワークのブロック図である。図４において、光ネットワーク６００は、４台のＯＡＤＭノード１００により、高密度光波長多重（ＤＷＤＭ：Dense WDM）のリング網を構成している。各ＯＡＤＭノード１００は、局間光ファイバ５５０により接続される。
【００２２】
ＯＡＤＭノード１００は、ＯＡＤＭ部１１０とトランスポンダ１２０、さらに必要に応じて再生中継器１３０を実装し、監視制御装置（ＯｐＳ：Operation System）３００により光パス２００が開通される。なお、トランスポンダ１２０、再生中継器１３０のポートに入出力されるクライアント信号には、１０ＧｂＥ、ＧｂＥ信号、ＳＴＭ−６４／ＯＣ−１９２、ＳＴＭ−１６／ＯＣ−４８、ＳＴＭ−４／ＯＣ−１２等が収容される。
【００２３】
ＯＡＤＭノード１００には、主回線とは別に監視制御線用のＯＳＣ（Optical Supervisory Channel）機能を有している。ＯｐＳ３００とＯＡＤＭノード１００は、ＤＣＮ（Data Communication Network）４５０に接続されたＯＡＤＭノード１００をゲートウェイとして、論理的にネットワーク接続される。このＯＳＣを用いて、ＯｐＳ３００は、ＴＬ１コマンド等を使い遠隔にてＯＡＤＭノード１００の監視制御を行なう。
【００２４】
ＯＡＤＭ部１１０における局間光ファイバ５５０との接続口２つについて、一方を”Ｗｅｓｔ方向”、もう一方を”Ｅａｓｔ方向”と定義する。
【００２５】
図５、図６を参照して、ＯＡＤＭノードの構成を説明する。ここで、図５および図６は、ＯＡＤＭノードの機能ブロック図である。図５において、ＯＡＤＭノード１００Ａは、光増幅部１５０、光分岐挿入部１７０、ＩＦ部１８０、装置内監視制御部１６０から構成される。
【００２６】
光増幅部１５０は、波長多重信号光を電気信号に変換することなく局間伝送可能な信号光強度に一括増幅する。光分岐挿入部１７０は、光増幅部１５０より受信した波長多重信号光を分離し、任意の波長について分岐、挿入もしくは通過後、再度、波長多重を行い、光増幅部１５０に送信する。
【００２７】
ＩＦ部１８０は、１波長毎にトランスポンダ１２０を有する。トランスポンダ１２０は、ポートより受信したクライアント信号を波長多重するために適正な信号フォーマット、信号光強度、信号光波長に変換し、光分岐挿入部１７０へ送信する。また、トランスポンダ１２０は、光分岐挿入部１７０で分離した任意の波長を、図示しない外部端局装置と接続するために適正な信号フォーマット、信号光強度、信号光波長に変換し、ポートへ送信する。
【００２８】
装置内監視制御部１６０は、光増幅部１５０、光分岐挿入部１７０、ＩＦ部１８０で検出した警報、イベント通知を収集し、その結果をＯｐＳ３００へ通知する。また、装置内監視制御部１６０は、ＯｐＳ３００からの制御により装置設定を行なう。
【００２９】
図６において、ＯＡＤＭノード１００Ｂは、ＩＦ部１８０に再生中継器１３０を備える。再生中継器１３０は、光分岐挿入部１７０で波長分離された光信号を一度電気信号に変換した後、識別再生を行い、また光信号に変換し、光分岐挿入部１７０へ送信する。なお、ＩＦ部１８０に、トランスポンダ１２０と再生中継器１３０とが設けられていても構わない。また、再生中継器１３０の出力をトランスポンダ１２０としても良い。
【００３０】
図７を参照して、光増幅部の構成を説明する。ここで、図７は光増幅部のハードウェアブロック図である。図７において、光増幅部１５０は、２台の光増幅器１５５、ＯＳＣ光分波器１５１、ＯＳＣ光合波器１５２、可変光減衰器１５３で構成される。
【００３１】
受信光増幅器１５５＃１、送信光増幅器１５５＃２は、波長多重信号を一括増幅する。受信光増幅器１５５＃１は、入力部に可変光減衰器１５３を備えており、自動レベル制御で動作し、入力レベルを所定のレベルに調整する。ＯＳＣ光分波器１５１、ＯＳＣ光合波器１５２は、主信号とＯＳＣとの分波／合波を行い装置内監視制御部１６０へ送信／から受信し、装置内監視制御部１６０からの監視制御を可能としている。なお、ＯＳＣはノード区間ごとに再生中継されている。
【００３２】
図８を参照して、再生中継器の構成を説明する。ここで、図は再生中継器の機能ブロック図であう。図８において、再生中継器１３０は、それぞれ２台のＬｉｎｅ光モジュール１３５、クロック抽出部１３１、ＴｘＰＬＬ１３３、ＯＴＵ終端・生成部１３２で構成される。
【００３３】
Ｌｉｎｅ光モジュール１３５は、光分岐挿入部１７０より分岐された信号に対して光／電気変換を行う。クロック抽出部１３１は、Ｌｉｎｅ光モジュール１３５からの電気信号に対して識別再生、リタイミングを行う。ＴｘＰＬＬ１３３は受信Ｌｉｎｅクロックに同期した送信Ｌｉｎｅクロックを生成する。ＯＴＵ終端・生成部１３２は、ＯＴＮフレーム信号のＯＰＵ／ＯＤＵをスルーし、ＯＴＵ終端・生成を行う。
【００３４】
ＯＴＵ終端・生成部１３２からのＯＴＮフレーム信号について、Ｌｉｎｅ光モジュール１３５は、波長多重するための信号光波長、信号光強度に変換し、光分岐挿入部１７０へ送信する。
【００３５】
光伝送ネットワークにおける光増幅器１５５、再生中継器１３０の適用について、図９を参照して、説明する。ここで、図９は光伝送ネットワークの構成と信号波形を説明する図である。
【００３６】
図９において、ＯＡＤＭノード１００＃１、１００＃２、１００＃３より構成される光伝送ネットワークにおいて、ＯＡＤＭノード１００＃１、１００＃２には、光増幅器１５５のみ適用されており、ＯＡＤＭノード１００＃３には、再生中継器１３０も適用されている。すなわち、図９（ａ）のネットワークは光増幅器のみによる増幅、図９（ｂ）のネットワークは光増幅器と再生中継器による増幅である。図９（ｃ）〜図９（ｆ）の縦軸は光レベル、横軸は波長であり、ネットワークの位置におけるスペクトルである。
【００３７】
ＯＡＤＭノード１００＃１から送信された直後のスペクトル（図９（ｃ））に対し、長距離伝送後のスペクトル（図９（ｄ））は光レベルが弱まっている。ＯＡＤＭノード１００＃２の光増幅器１５５の効果により、光レベルは回復するが、同時に雑音も増幅してしまう。このため、光増幅器のみでは、図９（ｅ）に示すように、ＯＳＮＲは劣化する。
【００３８】
ＯＡＤＭノード１００＃３は、再生中継器１３０を採用したノードである。３台の再生中継器１３０を用いることで、光信号を一度電気信号に変換した後、識別再生を行い、また光信号に変換することで、図９（ｆ）に示すように、ＯＳＮＲを回復することができる。
【００３９】
ＯｐＳ３００は、ＰＣ／ＷＳ等の一般的な情報処理装置であり、光パス２００を管理するためのソフトウェアがインストールされ、ユーザにより起動される。図１０を参照して、ＯｐＳの構成を説明する。ここで、図１０はＯｐＳの機能ブロック図である。
【００４０】
図１０において、ＯｐＳ３００は入力部３４０、出力部３５０を用いてユーザにより操作される。演算処理部３６０は、ＯＡＤＭノード１００の監視制御に必要な演算を行い、必要な情報をデータベース部３８０に保持する。演算処理部３６０は、ＯＡＤＭノード１００に命令を実行するとき、通信処理部３７０に通信命令を送信し、ＯｐＳ３００とＯＡＤＭノード１００間の通信を実現する。演算処理部３６０は、パス開通実行部３６５、伝送可否判定部３６１、既開通パス影響判定部３６２、開通可否判定部３６３、ダイアログ表示部３６４にて構成される。
【００４１】
パス開通実行部３６５は、ＯＡＤＭノード１００と通信を行うことで、各ＯＡＤＭノード１００の光分岐挿入部１７０の分岐を制御し、光パス２００の開通を行なう。
【００４２】
伝送可否判定部３６１、既開通パス影響判定部３６２、開通可否判定部３６３、ダイアログ表示部３６４は、それぞれパス開通処理Ａ００（図１８）、パス伝送可否判定Ｂ００（図１９）、既開通パスによる影響判定Ｄ００（図２２）、ダイアログ表示部Ｃ００（図２４）を担当する。このため、図１８〜図２４を用いて、後述する。
【００４３】
図１１を参照して、ＯｐＳのハードウェア構成を説明する。ここで、図１１はＯｐＳのハードウェアブロック図である。図１１において、ＯｐＳ３００は、内部バス３２５で相互接続された中央演算処理装置（ＣＰＵ）３１０、主記憶装置（メインメモリ）３２０、ネットワークカード（ＮＩＣ：Network Interface Card）３３０、入出力部３１５、補助記憶装置３０５と、入出力部３１５に接続された入力部３４０、出力部３５０から構成される。
【００４４】
図１０と図１１との対比から明らかなように、演算処理部３６０の機能３６１〜３６５は、主記憶装置３２０上のプログラムを、ＣＰＵ３１０が実行することによって、実現している。
ＯｐＳ３００にて再生中継器を適用した、光パス２００の管理を実現するためにＯｐＳ３００がデータベース部３８０に保有するテーブル情報について、これ以降説明する。
【００４５】
図１２を参照して、テーブル情報の前提となるネットワーク構成を説明する。ここで、図１２はネットワークの構成を説明するブロック図である。図１２において、ネットワーク６５０は、５台のＯＡＤＭノード１００からなるリングネットワークである。図１２において、ＯＡＤＭノード１００は、それぞれノード名Ａ〜Ｅがアサインされている。ネットワーク６５０には、ＯＡＤＭノードＡをアッドノード、ＯＡＤＭノードＣをドロップノードとする時計回りの光パス２００＃１と、ＯＡＤＭノードＢをアッドノード、ＯＡＤＭノードＤをドロップノードとする反時計回りの光パス２００＃２とが定義されている。また、ＯＡＤＭノードＡは、再生中継が可能なノードである。
【００４６】
各ＯＡＤＭノード１００にて、光ファイバ５５０の接続、トランスポンダ１２０のパッケージ実装、再生中継器１３０のパッケージ実装、装置内ファイバ接続等、ハード接続がおこなわれた後、ユーザはＯｐＳ３００に対して、リングを構成するＯＡＤＭノード１００のトポロジ情報を任意の順番にてトポロジ情報テーブルとして登録する。このトポロジ情報テーブルを図１３を参照して説明する。ここで、図１３はトポロジ情報テーブルを説明する図である。図１３において、トポロジ情報テーブルＴ００は、各ＯＡＤＭノード１００の、ノード名Ｔ０１、ＩＰアドレスＴ０２、Ｗｅｓｔ側に隣接しているノード名Ｔ０３、Ｅａｓｔ側に隣接しているノード名Ｔ０４で構成する。
【００４７】
また、パス開通処理を行なうと、ＯｐＳ３００は、開通したパス情報を自身が保有する既開通パス情報テーブルに追加する。他方、パス削除処理が行われると、ＯｐＳ３００は、削除したパスの情報を既開通パス情報テーブルから削除する。既開通パス情報テーブルについて、図１４を参照して説明する。ここで、図１４は既開通パス情報テーブルを説明する図である。図１４において、既開通パス情報テーブルＴ１０は、パス名Ｔ１１、波長Ｔ１２、始点ノードＴ１３、終点ノードＴ１４、パスの方向Ｔ１５、再生中継器適用ノードＴ１６にて構成する。
【００４８】
ＯｐＳ３００は、光増幅器種別毎の性能情報（固定値）を光増幅器性能情報テーブルとして保有する。光増幅器性能情報テーブルについて、図１５を参照して説明する。ここで、図１５は光増幅器性能情報テーブルを説明する図である。図１５において、光増幅器性能情報テーブルＴ２０は、光増幅器種別Ｔ２１、出力光レベルＰ Ｔ２２、雑音指数ＮＦ Ｔ２３、利得Ｇ Ｔ２４にて構成する。
【００４９】
図１６を参照して、装置情報テーブルを説明する。ここで、図１６は装置情報テーブルを説明する図である。図１６において、図１６（ａ）は光パス２００＃１に関する装置情報テーブルである。一方、図１６（ｂ）は光パス２００＃２に関する装置情報テーブルである。ＯｐＳ３００は、ＯＡＤＭノード１００に通信を行うことで、ノード名Ｔ３１を参照し、各ＯＡＤＭノード１００に実装されている受信光増幅器の種別Ｔ３２、送信光増幅器の種別Ｔ３３にて構成される装置情報テーブルＴ３０を作成する。
【００５０】
図１７を参照して、ＯｐＳでの光パスを管理する画面を説明する。ここで、図１７ＡはＯｐｓの光パス管理画面である。図１７Ａにおいて、パス管理画面Ｇ００は、ＯｐＳ３００の出力部３５０に表示する画面である。パス管理画面Ｇ００は、光パス２００の開通状態を表示するフィールドＧ０７と、開通済みパスの詳細情報を表示するフィールドＧ０８で構成する。
【００５１】
パス管理画面Ｇ００は、リングを構成するＯＡＤＭノード１００をアイコンＧ０１で表示する。各アイコンＧ０１には、ノード名、Ｗｅｓｔ／Ｅａｓｔ方向を付与する。また、光パス２００の経路Ｇ０５を表示する。再生中継器１３０を適用しているＯＡＤＭノード１００では、折り返し経路Ｇ０６を表示する。
【００５２】
フィールドＧ０７には、開通ボタンＧ０２、削除ボタンＧ０３が設置されている。ユーザによる開通ボタンＧ０２の押下を受け付けることで、ＯｐＳ３００は、パス開通処理を行なう。逆に、削除ボタンＧ０３の押下を受け付けることで、ＯｐＳ３００は、パス削除処理を行う。
【００５３】
図１７ＢはＯｐｓのパス開通ダイアログ画面である。パス開通ダイアログ画面Ｇ１０は、新たなパスを開通させるための画面である。パス開通ダイアログ画面Ｇ１０は、図１７Ａで開通ボタンＧ０２の押下を受け付けたとき、ＯｐＳ３００が表示する。パス開通ダイアログ画面Ｇ１０は、波長入力部Ｇ１１、始点ノード入力部Ｇ１２、終点ノード入力部Ｇ１３、方向入力部Ｇ１４、再生中継器設定部Ｇ１５、開通ボタンＧ１６とから構成される。ＯｐＳ３００は、ユーザによる各入力部、設定部Ｇ１１〜Ｇ１５への入力と、開通ボタンＧ１６の押下を受け付ける。
【００５４】
図１７Ｃおよび図１７ＤはＯｐｓの確認画面である。図１７Ｃおよび図１７Ｄにおいて、確認画面Ｇ２０は、メッセージ表示部Ｇ２３と、Ｙｅｓ／ＯＫボタンＧ２１、必要に応じてＮｏボタンＧ２２を表示する。確認画面Ｇ２０は、ユーザの設定に対する警告／確認画面である。特に警告画面Ｇ２０Ｂは、他波長パスに影響を与えるため、そのままの継続ができない。
【００５５】
パス開通処理について図１８を参照して、説明する。ここで、図１８はパス開通のフローチャートである。図１８において、ＯｐＳ３００は、パス管理画面Ｇ００を表示している。ＯｐＳ３００は、ユーザによる開通ボタンＧ０２を押下を受け付けることで、パス開通処理Ａ００を開始し、パス開通ダイアログＧ１０を表示する。ＯｐＳ３００は、ユーザによる新規開通する光パス２００の波長、始点ノード、終点ノード、方向、再生中継器の適用を受け付ける（Ａ０２）。このとき、ＯｐＳ３００は、画面Ｇ１５において、０個以上の複数のノードを選択することを可能とし、それ以外の画面については１つの項目を選択することを必須とする。
【００５６】
ＯｐＳ３００は、新規開通パスの伝送可否判定Ｂ００を行なう（Ａ０３＃１）。伝送可否判定Ｂ００の詳細については、図１９を参照して後述する。ＯｐＳ３００は、自身が保有するトポロジ情報テーブルＴ００（図１３）および既開通パス情報テーブルＴ１０（図１４）を用いて、新規開通する光パス２００と経路が重なっている既開通の光パス２００の情報を取得する（Ａ０４）。
【００５７】
２本の光パス２００の経路が重なっているかどうかの判定処理は、以下のようにして、ＯｐＳ３００により行われる。まずＯｐＳ３００は、比較する２本の光パス２００毎の経路を特定する。ＯｐＳ３００は、光パス２００の始点ノード、終点ノードの名前、およびパスの方向の情報（新規開通パスの場合は、パス開通ダイアログＧ１０にてユーザが選択した情報、既開通パスの場合は、既開通パス情報テーブルＴ１０（図１４）をＯｐＳ３００が参照する）と、ＯｐＳ３００が保有するトポロジ情報テーブルＴ００（図１３）のノード名Ｔ０１、Ｗｅｓｔ側の隣接ノードＴ０３、Ｅａｓｔ側の隣接ノードＴ０４の情報を参照し、経路となる全てのＯＡＤＭノード１００を特定する。特定された２本の光パス２００毎の経路となるＯＡＤＭノード１００に、２つ以上同じＯＡＤＭノード１００が含まれている場合、ＯｐＳ３００はこの２本の光パス２００は経路が重なっていると判定をする。
【００５８】
具体的には、ＯｐＳ３００は、パス開通ダイアログＧ１０にてユーザが選択した情報、およびＯｐＳ３００が保有するトポロジ情報テーブルＴ００（図１３）を用いて、光パス２００＃２の経路がＢ→Ａ→Ｅ→Ｄであることを特定する。続いてＯｐＳ３００は、自身が保有する既開通パス情報（図１４）およびトポロジ情報テーブルＴ００（図１３）を用いて、光パス２００＃１の経路がＡ→Ｂ→Ｃであることを特定する。
【００５９】
光パス２００＃１の経路となるＯＡＤＭノード１００は、ノードＡ、Ｂ、Ｃであり、光パス２００＃２の経路となるＯＡＤＭノード１００は、ノードＢ、Ａ、Ｅ、Ｄである。両者には、同じＯＡＤＭノード１００（ノードＡ、Ｂ）が２つ含まれているので、ＯｐＳ３００は、光パス２００＃１と光パス２００＃２は経路が重なっていると判定する。
【００６０】
次にＯｐＳ３００は、判定を行なっていない経路が重なる既開通パスがあるか判定する（Ａ０５）。ＹＥＳのとき、既開通パスの影響判定Ｄ００を行う（Ａ０３＃２）。既開通パスの影響判定Ｄ００の詳細については、図２２を参照して後述する。
【００６１】
Ａ０５の判定がＮＯのとき、ＯｐＳ３００は、Ａ０３＃１およびＡ０３＃２の判定結果から、ダイアログ表示処理Ｃ００にて、確認ダイアログＧ２０を表示する（Ａ０６）。ＯｐＳ３００は、ユーザによるボタン押下を受け付ける（Ａ０７）。ＯｐＳ３００は、押下されたボタンがＹｅｓボタンか判定する（Ａ０８）。
【００６２】
ユーザがＹｅｓボタンを押下したとき（Ａ０８：ＹＥＳ）、ＯｐＳ３００は、パス開通に必要な命令を各ＯＡＤＭノード１００に送信する（Ａ０９）。ＯｐＳ３００は、新規開通パスの情報をＯｐＳ３００が保有する既開通パス情報（図１４）に追加し（Ａ１０）、パス開通処理を終了する。
Ａ０８でユーザ押下したのがＮｏボタンまたはＯＫボタンのとき、ＯｐＳ３００はパス開通処理を終了する。
【００６３】
図１８の伝送可否判定Ｂ００について、図１９を参照して説明する。ここで、図１９はパス伝送可否判定処理のフローチャートである。図１９において、まずＯｐＳ３００は、パス開通ダイアログＧ１０にてユーザが選択した、開通する光パス２００の始点ノードＧ１２、終点ノードＧ１３の名前、およびパスの方向の情報Ｇ１４と、ＯｐＳ３００が保有するトポロジ情報テーブルＴ００（図１３）のノード名Ｔ０１、Ｗｅｓｔ側の隣接ＯＡＤＭノードＴ０３、Ｅａｓｔ側の隣接ＯＡＤＭノードＴ０４の情報を参照し、経路となる全てのＯＡＤＭノード１００を特定する。
【００６４】
ＯｐＳ３００は、特定されたＯＡＤＭノード１００において、ノード名Ｔ０１から参照できるＩＰアドレスＴ０２を用いて、通信を行うことで、ＯＡＤＭノード１００が保有している装置情報を取得し、図１６で示すように、始点ノードの送信光増幅器種別Ｔ３３、および、中継ノードの受信光増幅器種別Ｔ３２、送信光増幅器種別Ｔ３３および終点ノードの受信光増幅器種別Ｔ３２の情報を取得する（Ｂ０２）。なお、光パス２００およびＯＡＤＭノード１００が定まれば、対応する光増幅器１５５は一意に定まる。
【００６５】
次にＯｐＳ３００は、光増幅器１５５毎に、保有する光増幅器の性能情報テーブルＴ２０（図１５）を用いて、光増幅器種別Ｔ２１を参照し、出力光レベルＰ Ｔ２２、雑音指数ＮＦ Ｔ２３、利得Ｇ Ｔ２４を取得する。取得した情報、およびパス開通ダイアログＧ１０にてユーザが選択した、再生中継器の適用位置Ｇ１５から、ＯｐＳ３００は、以下の式を用いて光増幅器１５５毎の光信号対雑音比ＯＳＮＲを算出する（Ｂ０３）。
【００６６】
【数１】
2010062647.tif 000003
ＯｐＳ３００は、各光増幅器１５５毎のＯＳＮＲより、ノードＸ１→Ｘ２→…→Ｘｎの累計ＯＳＮＲＸ１＿Ｘｎを以下の式（２）を用いて算出する（Ｂ０４）。
【００６７】
【数２】
2010062647.tif 000004
ＯＳＮＲは、再生中継器１３０の適用により初期化されるため、再生中継器１３０適用ノード毎に区切った区間の累積ＯＳＮＲを考える必要がある。ＯｐＳ３００は、以下の式（３）を用いて、各区間の累積ＯＳＮＲの中で最小のもの（最も誤りが起きる可能性が高い値）をパス全体のＯＳＮＲＰＡＴＨとし、これを用いて判定を行う。
【００６８】
【数３】
2010062647.tif 000005
自身の信号を誤らせる可能性があるかの閾値をＸとし、他波長の信号を誤らせる可能性があるかの閾値をＹとする。閾値Ｘ、Ｙの値はＯｐＳ３００が保有する固定値である。ＯｐＳ３００は、ＯＳＮＲＡＬＬを閾値ＸおよびＹと比較することで判定を行う。ＯｐＳ３００は、ＯＳＮＲＡＬＬ≦Ｙか判定する（Ｂ０５）。ＹＥＳであれば、ＯｐＳ３００は、光パス２００が他波長の信号および自波長の信号を誤らせると判定し（Ｂ０６）、終了する。Ｂ０５がＮＯのとき、ＯｐＳ３００は、ＯＳＮＲＡＬＬ≦Ｘか判定する（Ｂ０７）。ＹＥＳであれば、光パス２００自身の信号を誤らせると判定して（Ｂ０８）、終了する。Ｂ０７でＮＯのとき、ＯｐＳ３００は、光パス２００は信号を誤らせないと判定し（Ｂ０９）、伝送可否判定Ｂ００を終了する。
【００６９】
ここで、閾値Ｘ、Ｙについて説明する。閾値Ｘは波長多重信号光が複数ノード伝送された際に、あらゆる信号光が所定のビットエラーレート（以下ＢＥＲと記載。数値としては例えばＢＥＲ＝１０＾−１２）を満足して伝送されるのに必要な最小ＯＳＮＲ値である。閾値Ｘは以下のようなパラメータから決定される。
（ａ）トランスポンダ１２０単体のＯＳＮＲ耐力：トランスポンダ１２０の送受信器間で直結した場合にＢＥＲ＝１０＾−１２を満足するのに必要な最小ＯＳＮＲ
（ｂ）ＯＡＤＭノード１００のフィルタによるＯＳＮＲペナルティ：（ａ）のトランスポンダ１２０に対して、複数段のＯＡＤＭノード１００を透過することによって、トランスポンダ１２０の波長スペクトルが削られることによる（ａ）に対するＯＳＮＲ耐力劣化量
（ｃ）光ファイバ伝送路の非線形効果によるＯＳＮＲペナルティ：波長多重光を光ファイバ伝送路で伝搬した場合の四光波混合、相互位相変調効果等の非線形効果によって発生するクロストークや波形歪みでの（ａ）に対するＯＳＮＲ耐力劣化量
（ｄ）トランスポンダ１２０受信端での残留分散によるＯＳＮＲペナルティ：光ファイバ伝送路の分散を補償し切れない信号光が入力された場合の（ａ）に対するＯＳＮＲ耐力劣化量
（ｂ）〜（ｄ）については再生中継なしで伝送可能な最大区間数（例えば最大装置数が２０であるならば、パス開通での最大区間数は１９区間）を設定し、その最大区間数時の特性を光ファイバ伝送路シミュレーションによりそれぞれの効果によるＯＳＮＲ劣化量を予め決定しておく。閾値Ｘの値は、（ａ）のトランスポンダ１２０単体でのＯＳＮＲ耐力に対し、伝送路、装置を通過することによるＯＳＮＲ耐力劣化量（ｂ）（ｃ）（ｄ）を加えたものとなる。（ａ）のトランスポンダ１２０のＯＳＮＲ耐力が１７ｄＢで規定されており、それに対して（ｂ）〜（ｄ）によるＯＳＮＲ劣化量がそれぞれ１ｄＢであると見積もられるならば、閾値Ｘの値は２０ｄＢと決定される。
【００７０】
閾値Ｘは、波長多重光のいずれの主信号ともに正常な光特性で伝搬するのに必要な最小ＯＳＮＲである。これに対して閾値Ｙは、既に光パス２００が設定されている主信号のＯＳＮＲはＸ以上の値であるのに対し、これから新規に設定しようとする主信号が既存主信号の隣接チャネルであって更にそのＯＳＮＲがＸを満足しない場合に、どの程度までのＯＳＮＲならば既存主信号に対して影響を与えずにパス設定ができるかを表すパラメータである。閾値Ｙは図１のλｎ−１、λｎのフィルタ透過特性でλｎ−１とλｎの信号の中央の位置における隣接チャネルとのアイソレーションをＺとすると、
【００７１】
【数４】
2010062647.tif 000006
式（４）で規定される（図２０参照）。例えば、Ｘ＝２０ｄＢ、Ｚ＝１０ｄＢとするならばＹ＝１０ｄＢである。
【００７２】
図２０を参照して、閾値Ｙの算出を説明する。ここで、図２０は伝送可否判定における閾値Ｙの算出方法を説明する図である。図２０において、縦軸は光レベル、横軸は波長である。閾値Ｘは、当該波長における信号光レベルと光ノイズレベルとの差である。アイソレーションＺは、隣接波長間の中央値（（λｎ−１＋λｎ）／２）における波長フィルタ５００＃２の分離可能光レベルと光信号レベルとの差である。したがって、式（４）から閾値Ｙは、信号レベル隣接波長間の中央値における波長フィルタ５００＃２の分離可能光レベルと光ノイズレベルとの差である。
【００７３】
以下、図１２のネットワーク構成に基づいて、伝送可否判定Ｂ００を具体的に説明する。ここでは、光パス２００＃１は、既に開通済みであり、光パス２００＃２を新規開通する状況（パス開通ダイアログＧ１０にてユーザが、波長Ｇ１１を”λ２”、始点Ｇ１２を”Ｂ”、終点Ｇ１３を”Ｄ”、方向Ｇ１４を”Ｗ→Ｅ”、再生中継器Ｇ１５を”Ａ”と選択し、開通ボタンＧ１６を押下した状態）とする。
【００７４】
ＯｐＳ３００は、光パス２００＃２の伝送可否判定を以下のように行なう。ＯｐＳ３００は、ユーザが選択した情報および、トポロジ情報（図１３）を用いて、光パス２００＃２の経路を特定する。ＯｐＳ３００は、光パス２００＃２のパス方向がＷｅｓｔ→Ｅａｓｔであるため、始点ノードＢから終点ノードＤまでＷｅｓｔ方向のノードを参照していく。これにより、ＯｐＳ３００は光パス２００＃２の経路がＢ→Ａ→Ｅ→Ｄであることを特定する。
【００７５】
続いてＯｐＳ３００は、経路となる全てのノード（Ｂ、Ａ、Ｅ、Ｄ）において、トポロジ情報テーブルＴ００（図１３）を参照し、対応するＩＰアドレス（１０．０．０．２、１０．０．０．１、１０．０．０．５、１０．０．０．４）を取得する。ＯｐＳ３００は、得られたＩＰアドレスを用いて通信を行うことで、図１６に示す装置情報を取得する。
【００７６】
次にＯｐＳ３００は、再生中継器１３０の位置Ａ、光増幅器性能情報テーブルＴ２０（図１５）を用いて式（２）を計算し、光パス２００＃２のＯＳＮＲＡＬＬを算出する。ＯｐＳ３００は以上の計算の結果から、光パス２００＃２のＯＳＮＲＡＬＬ”２２．７”を取得する。
【００７７】
判定にもちいる閾値は、Ｘ＝２２、Ｙ＝２０と定められているとすると、条件ＯＳＮＲＡＬＬ≦Ｙを満たさず、さらに条件ＯＳＮＲＡＬＬ≦Ｘを満たさないので、ＯｐＳ３００は、光パス２００＃２は信号を誤らせない、と判定する。
【００７８】
仮に光パス２００＃２において、再生中継器１３０を適用しなかった場合の光パス２００＃３を考える。
【００７９】
ＯｐＳ３００は、再生中継器１３０の位置（ノードＡ）、光増幅器性能情報テーブルＴ２０（図１５）を用いて式（２）を計算し、光パス２００＃３のＯＳＮＲＡＬＬを算出する（図２１Ｅ０１参照）。ＯｐＳ３００は以上の計算の結果から、光パス２００＃３のＯＳＮＲＡＬＬ”１９．８”を取得する。
条件ＯＳＮＲＡＬＬ≦Ｙを満たすので、光パス２００＃３は、他波長の信号をも誤らせる、とＯｐＳ３００が判定する。
【００８０】
ここで、図２１を参照して、光パス２００＃２と光パス２００＃３の光増幅器毎のＯＮＳＲと再生中継器有無、累積ＯＳＮＲ、全体のＯＳＮＲの計算結果を説明する。ここで、図２１は光増幅器毎のＯＮＳＲと再生中継器有無、累積ＯＳＮＲ、全体のＯＳＮＲの計算結果を説明する図である。特に、図２１（ａ）は光パス２００＃２、図２１（ｂ）は光パス２００＃３に関する。
【００８１】
図２１（ａ）において、光パス２００＃２は、ノードＢ、Ａ、Ｅ、Ｄの順である。ノードＢは、送信のみのノード、ノードＡとノードＥは、受送信ノード、ノードＤは、受信のみのノードである。ノードＡは、再生中継器を実装（○）している。累積ＯＳＮＲは、ノードＢの送信光増幅器と、ノードＡの受信光増幅器とで式（２）から、２３.０を得る。また、ノードＡの送信光増幅器と、ノードＥの受信光増幅器および送信光増幅器と、ノードＤの受信光増幅器とで式（２）から、２２.７を得る。全体のＯＳＮＲは、後者の２２.７である。
【００８２】
一方、図２１（ａ）において、光パス２００＃３は、ノードＢ、Ａ、Ｅ、Ｄの順である。ノードＢは、送信のみのノード、ノードＡとノードＥは、受送信ノード、ノードＤは、受信のみのノードである。ノードＡは、再生中継器を実装していない（×）。累積ＯＳＮＲは、ノードＢの送信光増幅器と、ノードＡの受信光増幅器および送信光増幅器と、ノードＥの受信光増幅器および送信光増幅器と、ノードＤの受信光増幅器とで式（２）から、１９.８を得る。全体のＯＳＮＲは、同様に１９.８である。
【００８３】
既開通パスの影響判定Ｄ００について、図２２を参照して、説明する。ここで、図２２は既開通パスによる影響判定のフローチャートである。図２２において、まずＯｐＳ３００は、既開通パスの経路における始点ノードの送信光増幅器種別Ｔ３３、および、中継ノードの受信光増幅器種別Ｔ３２、送信光増幅器種別Ｔ３３、および、終点ノードの受信光増幅器種別Ｔ３２の情報を取得する（Ｄ０２）。次にＯｐＳ３００は、光増幅器１５５毎の光信号対雑音比ＯＳＮＲを算出する（Ｄ０３）。続いてＯｐＳ３００は、開通する光パス２００と経路が重なる範囲のＯＳＮＲＤＵＰを以下の式（５）のように算出する。
【００８４】
【数５】
2010062647.tif 000007
パスの始点から経路が重なる部分の終点までの累積ＯＳＮＲを考える。しかし、ＯＳＮＲは、再生中継器１３０の適用により初期化されるため、再生中継器適用ノード毎に区間を区切る。各区間の累積ＯＳＮＲの中で最小のもの（最も誤りが起きる可能性が高い値）を、経路が重なる範囲の累積ＯＳＮＲＤＵＰとする（Ｄ０４）。
【００８５】
経路が重なる範囲の累積ＯＳＮＲＤＵＰをＢ０５〜Ｂ１０と同様の手順にて判定を行う（Ｄ０５〜Ｄ１０）。閾値Ｘ、閾値Ｙについても、パス伝送可否判定Ｂ００に用いた固定値Ｘ、Ｙを用いる。
【００８６】
パス伝送可否判定Ｂ００、既開通パスの影響判定Ｄ００共に、「他波長の信号を誤らせる」「自身の信号が誤る」「信号を誤らせない」のいずれかの結果が判定される。なお、判定結果は、フローチャートでは省いたが、ＯｐＳ３００は、レジスタ等に保持している。
【００８７】
ダイアログ表示処理Ｃ００について、図２３、図２４を参照して説明する。ここで、図２３は表示メッセージと表示ボタンを説明する図である。図２４はダイアログ表示のフローチャートである。
【００８８】
図２３において、表示メッセージは、図１７Ｃおよび図１７Ｄの表示欄Ｇ２３に表示するメッセージである。また、ボタンは、図１７Ｃおよび図１７ＤのボタンＧ２１およびＧ２２に表示する／しないボタンである。レコードＦ０１の表示メッセージは、「他波長パスに影響を与える可能性があるため、パス開通処理を実行できません」であり、ＯｐＳ３００は、パス開通を拒絶する。レコードＦ０２の表示メッセージは、「開通済みパスの影響で、正常にパス開通できない恐れがあります。パス開通処理を続行しますか？」であり、ＯｐＳ３００は、パス開通を注意する。レコードＦ０３の表示メッセージは、「正常にパス開通できない恐れがあります。パス開通処理を続行しますか？」であり、ＯｐＳ３００は、パス開通を注意する。レコードＦ０４の表示メッセージは、「正常ではない開通済みパスが経路上に存在します。パス開通処理を続行しますか？」であり、ＯｐＳ３００は、パス開通を注意する。レコードＦ０５の表示メッセージは、「パス開通処理を続行しますか？」であり、ＯｐＳ３００は、さらなるパス開通を確認する。
【００８９】
図２４において、ＯｐＳ３００は、新規開通パスの伝送可否判定Ａ０３＃１の判定結果において、”他波長の信号を誤らせる”という結果だったか判定する（Ｃ０２）。ＹＥＳのとき、ＯｐＳ３００は、確認ダイアログＧ２０にＦ０１を表示し（Ｃ０３）、ダイアログ表示処理Ｃ００を終了する。
【００９０】
Ｃ０２においてＮＯのとき、ＯｐＳ３００は、既開通パスの伝送可否判定Ａ０３＃２に１つでも、”他波長の信号を誤らせる”という結果だったか判定する（Ｃ０４）。ＹＥＳのとき、ＯｐＳ３００は、確認ダイアログＧ２０にＦ０２を表示し（Ｃ０５）、ダイアログ表示処理Ｃ００を終了する。Ｃ０４においてＮＯのとき、ＯｐＳ３００は、新規開通パスの伝送可否判定Ａ０３＃１の判定結果において、”自身の信号が誤る”という結果だったか判定する（Ｃ０６）。ＹＥＳのとき、ＯｐＳ３００は、確認ダイアログＧ２０にＦ０３を表示し（Ｃ０７）、ダイアログ表示処理Ｃ００を終了する。
【００９１】
Ｃ０６においてＮＯのとき、ＯｐＳ３００は、既開通パスの伝送可否判定Ａ０３＃２に１つでも、”自身の信号が誤る”という結果だったか判定する（Ｃ０８）。ＹＥＳのとき、ＯｐＳ３００は、確認ダイアログＧ２０にＦ０４を表示し（Ｃ０９）、ダイアログ表示処理Ｃ００を終了する。Ｃ０８においてＮＯのとき、ＯｐＳ３００は、確認ダイアログＧ２０にＦ０５を表示し（Ｃ１０）、ダイアログ表示処理Ｃ００を終了する。
【００９２】
最後に、パス削除処理について説明する。ユーザによる、パス管理画面Ｇ００において、フィールドＧ０８の開通済みパスから削除するパスの選択と、削除ボタンＧ０３の押下を受け付けることで、ＯｐＳ３００は、パス削除に必要な命令を各ＯＡＤＭノード１００に送信し、ＯｐＳ３００は選択された光パス２００を既開通パス情報（図１４）から削除する。
【００９３】
以上のような構成で再生中継器を適用した光パスの管理を実現する。上述した実施例では、監視制御装置（ＯｐＳ）３００が光パス２００を開通させる際に、光信号が誤る可能性がないか、既開通の他波長の光パス２００が誤る可能性がないかの判定を行ない、結果をユーザに通知する。他波長の光パスの信号に誤りを発生させる可能性がある場合、パス開通処置を行わない。
【００９４】
上述した実施例に拠れば、再生中継器を用いた光パス開通時に、光信号の到達可能性と他波長の光パスに悪影響を与える可能性を容易に確認できる。既に開通している光パスの信号に誤りが生じた場合、新規開通する光パスが届かない場合よりも大きな事故に繋がるが、これを未然に防ぎ、信頼性の高いパス開通設計を行うことが可能となる。また、伝送可否判定に用いる、光増幅器の種別の情報をユーザが入力せずに、装置から直接読み取ることにより、人為的なミスを減らし、信頼性の高いパス開通設計を行うことができる。
【図面の簡単な説明】
【００９５】
【図１】再生中継器の設定誤りを説明する図である。
【図２】光ネットワークの構成と各ノードでのＯＳＮＲ変化を説明する図である（再生中継器正常設定時）。
【図３】光ネットワークの構成と各ノードでのＯＳＮＲ変化を説明する図である（再生中継器正常設定誤り時）。
【図４】光ネットワークのブロック図である。
【図５】ＯＡＤＭノードの機能ブロック図である。
【図６】再生中継器を適用したＯＡＤＭノードの機能ブロック図である。
【図７】光増幅部のブロック図である。
【図８】再生中継器のブロック図である。
【図９】光増幅器と再生中継器の機能を示した図である。
【図１０】ＯｐＳの機能ブロック図である。
【図１１】ＯｐＳのハードウェアブロック図である。
【図１２】ネットワークの構成を説明するブロック図である。
【図１３】トポロジー情報テーブルを説明する図である。
【図１４】既開通パス情報テーブルを説明する図である。
【図１５】光増幅器性能情報テーブルを説明する図である。
【図１６】装置情報テーブルを説明する図である。
【図１７Ａ】Ｏｐｓでの光パス管理画面である。
【図１７Ｂ】Ｏｐｓのパス開通ダイアログ画面である。
【図１７Ｃ】Ｏｐｓの確認画面である（その１）。
【図１７Ｄ】Ｏｐｓの確認画面である（その２）。
【図１８】パス開通のフローチャートである。
【図１９】ＯｐＳによる、パス伝送可否判定のフローチャートである。
【図２０】伝送可否判定における閾値Ｙの算出方法を説明する図である。
【図２１】光増幅器毎のＯＮＳＲと再生中継器有無、累積ＯＳＮＲ、全体のＯＳＮＲの計算結果を説明する図である。
【図２２】既開通パスによる影響判定のフローチャートである。
【図２３】表示メッセージと表示ボタンを説明する図である。
【図２４】ダイアログ表示のフローチャートである。
【符号の説明】
【００９６】
１００…ＯＡＤＭノード、１１０…ＯＡＤＭ部、１２０…トランスポンダ、１３０…再生中継器、１５０…光増幅部、１６０…装置内監視制御部、１７０…光分岐挿入部、１８０…ＩＦ部、２００…光パス、３００…ＯｐＳ、３０５…補助記憶装置（ＨＤＤ）、３１０…中央演算処理装置（ＣＰＵ）、３１５…入出力部（Ｉ／ＯＩＦ）、３２０…主記憶装置、３２５…内部バス、３４０…入力部、３５０…出力部、３６０…演算処理部、３６１…伝送可否判定部、３６２…既開通パス影響判定部、３６３…開通可否判定部、３６４…ダイアログ表示部、３６５…パス開通実行部、３７０…通信処理部、３８０…データベース部、４５０…ＤＣＮ、５５０…局間光ファイバ、６００…光ネットワーク、６５０…光ネットワーク。
【図１】
2010062647.tif 000008
【図２】
2010062647.tif 000009
【図３】
2010062647.tif 000010
【図４】
2010062647.tif 000011
【図５】
2010062647.tif 000012
【図６】
2010062647.tif 000013
【図７】
2010062647.tif 000014
【図８】
2010062647.tif 000015
【図９】
2010062647.tif 000016
【図１０】
2010062647.tif 000017
【図１１】
2010062647.tif 000018
【図１２】
2010062647.tif 000019
【図１３】
2010062647.tif 000020
【図１４】
2010062647.tif 000021
【図１５】
2010062647.tif 000022
【図１６】
2010062647.tif 000023
【図１７Ａ】
2010062647.tif 000024
【図１７Ｂ】
2010062647.tif 000025
【図１７Ｃ】
2010062647.tif 000026
【図１７Ｄ】
2010062647.tif 000027
【図１８】
2010062647.tif 000028
【図１９】
2010062647.tif 000029
【図２０】
2010062647.tif 000030
【図２１】
2010062647.tif 000031
【図２２】
2010062647.tif 000032
【図２３】
2010062647.tif 000033
【図２４】
2010062647.tif 000034